(57)【要約】【課題】  重要度の高い機能を使用するための電池の残量を確保することができ、電池の残量が少なくなって一度停止した機能について、電池の充電等により再び使用できるようになったときに、操作を行なわずに再起動させることができる携帯端末装置を提供する。【解決手段】  処理機能部２２，２４，２６と、電源量検出部４と、複数の処理機能部の２以上のそれぞれに対応付けた停止値と、複数の処理機能部の１以上のそれぞれに各停止値よりも高い値となるように対応付けた復帰値とを記憶する記憶部２８と、電源量検出部にて検出される電源量が、動作中の処理機能部のそれぞれに対応付けられた停止値のいずれかを下回った場合には対応する処理機能部について停止させ、電源量が当該処理機能部に対応付けられた復帰値を上回った場合に再度起動させるよう制御する制御部２８とを備えるようにした。【選択図】      図１
2006203475.tif 000002
【特許請求の範囲】
【請求項１】
起動／停止を個別に行なうことができる複数の処理機能部と、
キー操作部と、
電源量検出部と、
前記処理機能部からの出力を行なう出力部と、
前記複数の処理機能部の２以上のそれぞれに対応付けた停止値と、前記複数の処理機能部の１以上のそれぞれに各停止値よりも高い値となるように対応付けた復帰値とを記憶する記憶部と、
前記複数の処理機能部のいずれかが動作中のときに前記電源量検出部にて検出される電源量が、動作中の処理機能部のそれぞれに対応付けられた前記停止値のいずれかを下回った場合には当該停止値に対応する処理機能部について停止させ、前記電源量が当該処理機能部に対応付けられた前記復帰値を上回った場合に前記停止値を下回ったことにより停止された処理機能部について再度起動させるよう制御する制御部と
を備えることを特徴とする携帯端末装置。
【請求項２】
前記制御部は、前記複数の処理機能部のいずれかが動作中のときに前記電源量が、動作中の処理機能部のそれぞれに対応付けられた前記停止値のいずれかを下回って当該停止値に対応する処理機能部を停止させた後に、当該停止させた処理機能部に対応付けられる前記復帰値と動作中の処理機能部に対応付けられる停止値とを合わせた値を前記電源量が上回った場合に、前記停止させた処理機能部を再度起動させる
ことを特徴とする請求項１に記載の携帯端末装置。
【請求項３】
前記制御部は、前記電源量が前記停止値のいずれかを下回って当該停止値に対応する前記処理機能部を停止させる際、当該停止される処理機能部が一時停止可能な処理機能部であれば、停止するときの動作状況を前記記憶部に記憶させることを特徴とする請求項１又は請求項２に記載の携帯端末装置。
【請求項４】
前記制御部は、前記停止させた処理機能部を再度起動させる際には前記動作状況を参照して起動させることを特徴とする請求項３に記載の携帯端末装置。
【請求項５】
前記一時停止可能な処理機能部は、前記記憶部に格納される情報を読み出して出力を行なう音楽再生機能部であることを特徴とする請求項３又は４に記載の携帯端末装置。
【請求項６】
前記複数の処理機能部の一つが無線通信部であって、
前記記憶部は、前記無線通信部以外の他の前記処理機能部に対応付けられた停止値のいずれよりも低い値を、前記無線通信部に対応付けられる停止値として記憶することを特徴とする請求項１ないし５のいずれか一に記載の携帯端末装置。
【請求項７】
起動／停止を個別に行なうことができる複数の処理機能部と、
キー操作部と、
電源量検出部と、
前記処理機能部からの出力を行なう出力部と、
前記複数の処理機能部の２以上のそれぞれに対応付けた停止値と、前記複数の処理機能部の１以上のそれぞれに各停止値よりも高い値となるように対応付けた復帰値とを記憶する記憶部と
を備える携帯端末装置についての携帯端末装置の動作管理方法であって、
前記複数の処理機能部のいずれかが動作中のときに前記電源量検出部にて検出される電源量が、動作中の処理機能部のそれぞれに対応付けられた前記停止値のいずれかを下回った場合には当該下回った処理機能部について停止させる停止ステップと、
前記停止ステップにより停止された処理機能部について前記電源量が当該処理機能部に対応付けられた前記復帰値を上回った場合に再度起動する復帰ステップと
を有することを特徴とする携帯端末装置の動作管理方法。
【発明の詳細な説明】
【技術分野】
【０００１】
本発明は、無線通信機能、音楽再生機能及び撮影機能のような様々な機能を備えて多機能化された携帯端末装置及びその動作管理方法に関するものである。
【背景技術】
【０００２】
従来において、携帯電話機のような携帯端末装置には、その多機能化が進んだことにより、通話や電子メールのような文字メッセージを送受信する無線通信機能、音楽再生機能、撮影機能、及びゲーム機能のような様々な種類の機能を備えているものがあった（例えば、特許文献１ないし３参照）。
【特許文献１】特開２００２−２０４２９８号公報
【特許文献２】特開２００２−２２３２７１号公報
【特許文献３】特開２００２−２３２９５９号公報
【発明の開示】
【発明が解決しようとする課題】
【０００３】
しかしながら、このような携帯端末装置では、様々な機能が同時に使用された場合には、この携帯端末装置に搭載されている電池の消耗が速くなるため、電池の残量が少なくなったり尽きたりしたときに、様々な機能がその重要度に関係なく同時に使用することができなくなってしまうという問題があった。
【０００４】
また、このような携帯端末装置に搭載される電池の残量が少なくなったり尽きたりして、様々な機能が使用することができなくなった後に、この電池に対して充電したり交換したりすることにより、様々な機能を再び使用することができるようになった場合でも、電池の残量が少なくなったり尽きたりしたときに一度停止した機能を再起動させるには、この再起動のための操作が必要になるという問題があった。
【０００５】
そこで本発明は、上記問題点に鑑みて、重要度の高い機能を使用するための電池の残量を確保することができ、電池の残量が少なくなって一度停止した機能について、電池の充電等により再び使用することができるようになったときに、その再起動の操作を行なわなくても再起動させることができる携帯端末装置及びその動作管理方法を提供することを課題とするものである。
【課題を解決するための手段】
【０００６】
上記課題を解決するために、本発明による携帯端末装置は、
起動／停止を個別に行なうことができる複数の処理機能部と、
キー操作部と、
電源量検出部と、
前記処理機能部からの出力を行なう出力部と、
前記複数の処理機能部の２以上のそれぞれに対応付けた停止値と、前記複数の処理機能部の１以上のそれぞれに各停止値よりも高い値となるように対応付けた復帰値とを記憶する記憶部と、
前記複数の処理機能部のいずれかが動作中のときに前記電源量検出部にて検出される電源量が、動作中の処理機能部のそれぞれに対応付けられた前記停止値のいずれかを下回った場合には当該停止値に対応する処理機能部について停止させ、前記電源量が当該処理機能部に対応付けられた前記復帰値を上回った場合に前記停止値を下回ったことにより停止された処理機能部について再度起動するよう制御する制御部とを備えることを特徴とするものである。
【０００７】
また、本発明による携帯端末装置は、前記制御部は、前記複数の処理機能部のいずれかが動作中のときに前記電源量が、動作中の処理機能部のそれぞれに対応付けられた前記停止値のいずれかを下回って当該停止値に対応する処理機能部を停止させた後に、当該停止させた処理機能部に対応付けられる前記復帰値と動作中の処理機能部に対応付けられる停止値とを合わせた値を前記電源量が上回った場合に、前記停止させた処理機能部を再度起動させるようになっていてもよい。
【０００８】
また、本発明による携帯端末装置は、前記制御部は、前記電源量が前記停止値のいずれかを下回って当該停止値に対応する前記処理機能部を停止させる際、当該停止される処理機能部が一時停止可能な処理機能部であれば、停止するときの動作状況を前記記憶部に記憶させるようになっていてもよい。
【０００９】
また、本発明による携帯端末装置は、前記制御部は、前記停止させた処理機能部を再度起動させる際には前記動作状況を参照して起動させるようになっていてもよい。
【００１０】
また、本発明による携帯端末装置は、前記一時停止可能な処理機能部は、前記記憶部に格納される情報を読み出して出力を行なう音楽再生機能部であるようになっていてもよい。
【００１１】
また、本発明による携帯端末装置は、
前記複数の処理機能部の一つが無線通信部であって、
前記記憶部は、前記無線通信部以外の他の前記処理機能部に対応付けられた停止値のいずれよりも低い値を、前記無線通信部に対応付けられる停止値として記憶するようになっていてもよい。
【００１２】
また、上記課題を解決するために、本発明による携帯端末装置の動作管理方法は、
起動／停止を個別に行なうことができる複数の処理機能部と、
キー操作部と、
電源量検出部と、
前記処理機能部からの出力を行なう出力部と、
前記複数の処理機能部の２以上のそれぞれに対応付けた停止値と、前記複数の処理機能部の１以上のそれぞれにその停止値よりも高い値となるように対応付けた復帰値とを記憶する記憶部と
を備える携帯端末装置についての携帯端末装置の動作管理方法であって、
前記複数の処理機能部のいずれかが動作中のときに前記電源量検出部にて検出される電源量が、動作中の処理機能部のそれぞれに対応付けられた前記停止値のいずれかを下回った場合には当該下回った処理機能部について停止させる停止ステップと、
前記停止ステップにより停止された処理機能部について前記電源量が当該処理機能部に対応付けられた前記復帰値を上回った場合に再度起動する復帰ステップとを有することを特徴とするものである。
【発明の効果】
【００１３】
このような本発明の携帯端末装置及びその動作管理方法によれば、重要度の高い機能を使用するための電池の残量を確保することができ、電池の残量が少なくなって一度停止した機能について、電池の充電等により再び使用することができるようになったときに、その再起動の操作を行なわなくても再起動させることができる。
【発明を実施するための最良の形態】
【００１４】
以下、本発明に係る携帯端末装置及びその動作管理方法の実施の形態について、図面に基づいて具体的に説明する。
図１ないし図６は、本発明の一実施の形態に係る携帯電話機２（携帯端末装置に相当）及びその動作管理方法について説明するために参照する図である。
【００１５】
本実施の形態に係る携帯電話機２は、従来の携帯電話機と同様に、無線通信機能、音楽再生機能、及び撮影機能等を備えている。
【００１６】
図１は、本実施の形態に係る携帯電話機２の回路構成を示すブロック図である。同図に示すように、携帯電話機２は、電源量検出部４、携帯電話状態管理部６（制御部）、キー操作部７、表示部８（出力部）、無線処理部１０、通信デバイス１２、音声データ処理部１４、オーディオデバイス１６、カメラ動作処理部１８、カメラデバイス２０、及びこれらに対して電力を供給する電池２１（電源）を備えている。
【００１７】
ここで、無線処理部１０及び通信デバイス１２の組み合わせを無線通信部２２と呼ぶこととする。また、音声データ処理部１４及びオーディオデバイス１６の組み合わせを音楽再生機能部２４と呼ぶこととする。また、カメラ動作処理部１８及びカメラデバイス２０の組み合わせを撮影機能部２６と呼ぶこととする。
【００１８】
また、音楽再生機能部２４のオーディオデバイス部１６は、スピーカー３０（出力部）、マイクロホン３２、及びイヤホンジャック３４（出力部）を有している。
【００１９】
また、無線通信部２２、音楽再生機能部２４及び撮影機能部２６のそれぞれを、処理機能部と汎称することがあるものとする。
【００２０】
携帯電話機２は、無線通信機能を利用することにより、通話の通信、電子メールのような文字メッセージの送受信、及び通信回線網上のサーバーからのＷｅｂページのような電子文書の取得等を行なうことができるようになっている。この無線通信機能が利用される場合には、携帯電話状態管理部６による制御の下で、主に無線通信部２２がその処理動作を行なうようになっている。
【００２１】
また、携帯電話機２は、音楽再生機能を利用することにより、後述する記憶部２８に格納された、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）データやＭＰ３（ＭＰｅｇ  ａｕｄｉｏ  ｌａｙｅｒ３）のような音声情報を、この記憶部２８の中から読み出して再生することができるようになっている。この音楽再生機能が利用される場合には、携帯電話状態管理部６による制御の下で、主に音楽再生機能部２４がその処理動作を行なうようになっている。
【００２２】
また、携帯電話機２は撮影機能を利用することにより、静止画像や動画像の撮影を行なうことができるようになっている。この撮影機能が利用される場合には、携帯電話状態管理部６による制御の下で、主に撮影機能部２６がその処理動作を行なうようになっている。
【００２３】
ここで、図示しないが、音声データ処理部１４は、ＭＩＤＩデータやＭＰ３等のような音声情報の形式ごとに対応する複数のコーデック（ｃｏｄｅｃ）を有している。それぞれのコーデックは、対応する音声情報等に対し変換処理を行なったり、また、音声情報が圧縮されているものである場合には伸張処理を行なったりするようになっている。
【００２４】
また、音声データ処理部１４は、ＭＩＤＩデータやＭＰ３等の音声情報に対応するコーデック以外にも、例えば、後述する記憶部２８に記憶されるような音声情報とは異なる、通話の信号等に対応するコーデックも有している。
【００２５】
次に、電源量検出部４は、電池２１の電流、電圧、若しくは温度、又はこれらの組み合わせや変化率等のような、電池２１の電気量の残量についての値を監視しており、いくつかの残量値ごとに指標となるべき値を割当てて、残量値に応じて具体的な値として検出している。
【００２６】
ここで、本実施の形態においては、このような電池２１の電気量の残量の指標となるべき値のことを電源量ということとする。電源量検出部４は、検出した電源量を携帯電話状態管理部６に出力するようになっている。
【００２７】
また、表示部８は、携帯電話状態管理部６の制御の下で、無線通信機能により送受信する電子メール等の文字メッセージや、Ｗｅｂページのような電子文書を表示（出力）することができるようになっている。また、表示部８は、撮影機能により撮影した静止画像や動画像を出力することができるようになっている。
【００２８】
また、携帯電話状態管理部６は、記憶部２８を有している。この記憶部２８には、例えば、ネットワーク上の所定のサーバから料金の支払いを条件として取得することができるＭＰ３やＭＩＤＩデータのような音声情報（音楽データ）を記憶させておくことができる。
【００２９】
また、この記憶部２８は、無線通信部２２に対応付けて予め設定された停止値、音楽再生機能部２４及び撮影機能部２６に対応付けて予め設定されたそれぞれの停止値及び復帰値を記憶している。図２は、このような無線通信部２２、音楽再生機能部２４及び撮影機能部２６のそれぞれに対応付けられた停止値（図２中、符号ａ，ｃ，ｅ）、及び音楽再生機能部２４及び撮影機能部２６のそれぞれに対応付けられた復帰値（図２中、符号ｄ，ｆ）を概念的に示したものであるが、これらの停止値及び復帰値は、実際には具体的な数値として記憶部２８に記憶されている。
【００３０】
無線通信部２２に対応する停止値ａは、この無線通信部２２以外の他の処理機能部（音楽再生機能部２４及び撮影機能部２６）に対応する停止値ｃ，ｅ及び全ての復帰値のいずれよりも低い値になっている。また、無線通信部２２以外の他の処理機能部のそれぞれの復帰値ｄ，ｆは、その処理機能部のそれぞれに対応する停止値ｃ，ｅよりも若干高い値になっている。
【００３１】
このような停止値ａ，ｃ，ｅ及び復帰値ｄ，ｆは、携帯電話状態管理部６が実際の電源量と比較して、無線通信部２２、音楽再生機能部２４及び撮影機能部２６のそれぞれについて、その動作を継続、停止又は再起動させるかどうかについて判断する際に、その基準として用いられるものである。
【００３２】
次に、図１に示す音楽再生機能部２４との関連において、携帯電話状態管理部６が行なう処理動作について説明する。
【００３３】
携帯電話状態管理部６は、ユーザーにより音楽再生機能の起動の操作が行なわれると、まず記憶部２８内に音声データ処理部１４内に対応するワークエリア（不図示）を確保する。そして、携帯電話状態管理部６は、記憶部２８に記憶されている再生可能な音声情報を参照して、そのリストを作成すると共に、このリストを表示部８に表示させる。
【００３４】
ユーザーが、このリストの中から再生したい音声情報を指定する操作を行なうと、携帯電話状態管理部６は、音声データ処理部１４に対してユーザーが指定した音声情報を再生するように指示する。音声データ処理部１４は、この音声データ処理部１４が有する不図示のコーデックに、ユーザーが指定した記憶部２８内の音声情報を伸張する処理を行なわせてから、この伸張した音声情報を一旦記憶部２８内のワークエリアに格納した後に、オーディオデバイス１６のスピーカー３０から出力させるようになっている。
【００３５】
また、図示しない外部のイヤホンが、イヤホンジャック３４に接続されている場合には、携帯電話状態管理部６の判断により、音声データ処理部１４は、伸張した音声情報を、スピーカー３０ではなく、イヤホンジャック３４を介して図示しない外部のイヤホンに出力させるようになっている。
【００３６】
また、携帯電話状態管理部６は、音声データ処理部１４に音声情報の出力を指示した後には、この音声情報の出力に対する割込みの発生を監視するようになっている。
【００３７】
この音声情報の出力に対する割込みは、携帯電話状態管理部６が、音声データ処理部１４から音声情報の再生終了やエラー発生の信号を受信したとき、キー操作部７より信号を受信したとき、無線処理部１０部から着信等の信号を受信したとき、不図示のタイマから信号を受信したとき、または電源量検出部４から信号を受信したときなどに発生する。
【００３８】
携帯電話状態管理部６は、音声データ処理部１４による音楽再生中に、その停止や他の曲の指定、音量の変更などの処理を要すると判断した場合には、音声データ処理部１４に対し改めてその旨を命令するよう処理することにより、音声情報の再生中における他のメール作成などの割込みの処理動作をマルチタスク風に処理している。
【００３９】
携帯電話状態管理部６は、特に、後述するようなバックアップ（図３中、ステップＳ１０３参照）と共に停止させる命令を音声データ処理部１４に行なう場合は、音声情報が格納されたワークエリア（不図示）を図１に示す記憶部２８内に残しておき、その再生の停止位置（アドレス）や音量等の状況（動作状況）を記憶しておいた上で、音声データ処理部１４を一時停止させるようになっている。そして、音声情報の再生を再開する際には、記憶部２８内のワークエリアを参照し、停止させたときの状況（動作状況）を回復させてから行なうようになっている。
【００４０】
また、携帯電話状態管理部６は、通話の着信があったときにスピーカー３０又はイヤホンジャック３４に接続された不図示のイヤホンから着信音を出力するが、この着信音は、記憶部２８に記憶されているＭＰ３等の圧縮データを用いるようになっていてもよいし、また、ＭＩＤＩデータが記憶部２８に記憶されている場合には、例えばユーザーの選択により、このＭＩＤＩデータを出力するようになっていてもよい。
【００４１】
次に、電池２１の電源量（電気量）の残量との関連において、携帯電話状態管理部６が行なう処理動作について説明する。携帯電話状態管理部６は、電源量検出部４から受信した電源量に基づいて、図３ないし図６のフローチャートに示すような処理動作を行なうようになっている。
【００４２】
処理機能部（無線通信部２２、音楽再生機能部２４及び撮影機能部２６）のいずれか１つ又は複数のものを使用しているときには、図２に示すように、電池２１の電源量の残量は、この携帯電話機２の使用と共に徐々に減少していく（図２中、矢印Ａ方向）。
【００４３】
携帯電話状態管理部６は、この電源量が、無線通信部２２、音楽再生機能部２４及び撮影機能部２６のそれぞれに対応する停止値（図２中、符号ａ，ｃ，ｅ）のいずれかを下回ったと判断すると（図３中、ステップＳ１０１のＹＥＳ）、その停止値に対応する処理機能部（無線通信部２２、音楽再生機能部２４又は撮影機能部２６のいずれか）が一時停止可能な機能であるかどうかを判断するようになっている（ステップＳ１０２）。
【００４４】
ここで、処理機能部が一時停止可能であるとは、音楽再生機能部２４のように、その機能の動作を一旦停止してから再起動したときに、停止したときの動作状況から再開することができるようになっていることをいうものとする。
【００４５】
処理機能部による動作が一時停止可能であると判断した場合には（ステップＳ１０２のＹＥＳ）、携帯電話状態管理部６は、その処理機能部の動作が停止したときの動作状況を記憶部２８に記憶（バックアップ）させておくようになっている（ステップＳ１０３）。
【００４６】
処理機能部による動作が一時停止可能ではないと判断した場合には（ステップＳ１０２のＮＯ）、ステップＳ１０３の処理動作は行なわれない。そして、携帯電話状態管理部６は、ステップＳ１０２又はＳ１０３の処理動作の後に、停止値に対応する処理機能部を停止させるようになっている（ステップＳ１０４）。
【００４７】
したがって、携帯電話状態管理部６は、図３のフローチャートに基づいて、例えば、撮影機能部２６の動作中に、電源量が図２に示す停止値ｅを下回ったときには、撮影機能部２６の動作を停止させるようになっている。
【００４８】
また、音楽再生機能部２４の動作中に、電源量が図２に示す停止値ｃを下回ったときには、このときの音楽再生機能部２４に関する動作状況をバックアップした後に、音楽再生機能部２４の動作を停止させるようになっている。また、無線通信部２２の動作中に、電源量が図２に示す停止値ａを下回ったときには、無線通信部２２の動作を停止させるようになっている。
【００４９】
なお、無線通信部２２を停止させることは、通話やデータ送受信のみでなく、待ち受け処理をも停止させることを意味する。待ち受け処理を停止させても、電話帳等の閲覧は可能である。
【００５０】
次に、電池２１の電源量が、動作中の処理機能部に対応する停止値ｃ，ｅのいずれかを下回ったために、その処理機能部が図３のフローチャートに基づいて停止した後に、電池２１に対する充電又はこの電池２１の交換が行なわれたときの携帯電話状態管理部６の処理動作を、図４のフローチャートに基づいて説明する。
【００５１】
電池２１に対して充電等が行なわれることにより、電源量が処理機能部のいずれかに対応する復帰値ｄ，ｆ（図２参照）のいずれかを上回ると（図４中、ステップＳ２０１のＹＥＳ）、携帯電話状態管理部６は、この復帰値ｄ，ｆのいずれかに対応する処理機能部について、図３のステップＳ１０３で記憶部２８に記憶した動作状況を参照して、この動作状況を回復（図４中、ステップＳ２０２）させた後、再起動させるようになっている（ステップＳ２０３）。
【００５２】
ただし、処理機能部が図３のフローチャートに基づいて停止したときに、その動作状況が記憶部２８に記憶されていなかった場合には、図４のステップＳ２０２の処理動作は行なわれない。しかし、復帰可能となったことは、表示部８に表示させるのが好ましい。
【００５３】
また、図２に示すように、無線通信部２２に対応する復帰値は設定されていないため、電池２１に対して充電等が行なわれても、無線通信部２２は再起動しないようになっており、一度切断された通信等が再び接続されて混乱が生じることがないようになっている。
【００５４】
もちろん、無線通信部２２については、再起動するようにしておき、例えば、撮影機能部２６を再起動させないようにしておくことも可能である。
【００５５】
次に、２つの処理機能部が同時に動作しているときに、電源量が、この処理機能部のいずれかの停止値を下回ったときの携帯電話状態管理部６の処理動作を説明する。ここでは、音楽再生機能部２４と撮影機能部２６の両方が動作しているときを例にするものとし、音楽再生機能部２４に対応する停止値ｃは、撮影機能部２６に対応する停止値ｅより小さものとして（図２参照）、図５のフローチャートに基づいて説明する。
【００５６】
音楽再生機能部２４と撮影機能部２６の両方が動作しているときに、電源量が撮影機能部２６に対応する停止値ｅを下回ると（ステップＳ３０１）、携帯電話状態管理部６は、音楽再生機能と撮影機能のいずれを停止させるかについて選択するようになっている（ステップＳ３０２）。
【００５７】
携帯電話状態管理部６が音楽再生機能と撮影機能のいずれを停止させるのかについては、ステップＳ３０２においてユーザーが選択するようになっていても良いし、また、予め記憶部２８に選択の設定を記憶させておき、これを携帯電話状態管理部６が参照して選択するようになっていてもよい。
【００５８】
音楽再生機能の停止が選択された場合には（ステップＳ３０２の「音楽再生機能」）、図３に示すフローチャートのステップＳ１０２ないしＳ１０４と同様の処理動作により、音楽再生機能部２４を停止させるようになっている（図５中、ステップＳ３０３）。
【００５９】
また、撮影機能の停止が選択された場合には（ステップＳ３０２の「撮影機能」）、やはり図３に示すフローチャートのステップＳ１０２ないしＳ１０４と同様の処理動作により、撮影機能部２６を停止させるようになっている（図５中、ステップＳ３０４）。
【００６０】
次に、処理機能部のいずれかが動作中のときに、この動作中の処理機能部以外の他の処理機能部を起動する操作が行なわれたときにおける携帯電話状態管理部６の処理動作を説明する。ここでは、音楽再生機能部２４の動作中に、撮影機能部２６を起動する操作が行なわれたときを例にして、図６のフローチャートに基づいて説明する。
【００６１】
音楽再生機能部２４の動作中に、撮影機能部２６を起動する操作が行なわれると（ステップＳ４０１）、携帯電話状態管理部６は電源量検出部４から電源量を取得するようになっている（ステップＳ４０２）。
【００６２】
そして、この電源量が、音楽再生機能部２４及び撮影機能部２６のそれぞれに対応する停止値ｃ，ｅの合計値以上である場合には（ステップＳ４０３の「ｃ＋ｅ以上」）、携帯電話状態管理部６は直ちに撮影機能部２６を起動させるようになっている（ステップＳ４０６）。
【００６３】
また、電源量が、撮影機能部２６に対応する停止値ｅから、音楽再生機能部２４及び撮影機能部２６のそれぞれに対応する停止値ｃ，ｅの合計値の間にある場合には（ステップＳ４０３の「ｅからｃ＋ｅの間」）、携帯電話状態管理部６は、図５に示すフローチャートのステップＳ３０２と同様に、音楽再生機能と撮影機能のいずれかを選択するようになっている（ステップＳ４０４）。
【００６４】
音楽再生機能が選択された場合には（ステップＳ４０４の「音楽再生機能」）、携帯電話状態管理部６は、図３に示すフローチャートのステップＳ１０２ないしＳ１０４と同様の処理動作により、音楽再生機能部２４を停止（図６中、ステップＳ４０５）させた後に、撮影機能部２６を起動させるようになっている（ステップＳ４０６）。
【００６５】
また、ステップＳ４０４において撮影機能が選択された場合には（ステップＳ４０４の「撮影機能」）、携帯電話状態管理部６は、音楽再生機能部２４の動作を継続させると共に、撮影機能部２６を起動させないようになっている。
【００６６】
また、ステップＳ４０３において、電源量が、撮影機能部２６に対応する停止値ｅ以下である場合には（ステップＳ４０３の「ｅ以下」）、携帯電話状態管理部６は、表示部８に撮影機能を起動させることができない旨を表示し（ステップＳ４０７）、音楽再生機能部２４の動作を継続させると共に、撮影機能部２６を起動させないようになっている。
【００６７】
このような本実施の形態に係る携帯電話器２、及びその動作管理方法によれば、重要度の高い無線通信機能を使用するための電池の残量を確保することができ、電池２１の残量が少なくなって一度停止した機能について、電池２１の充電等により再び使用することができるようになったときに、その再起動の操作を行なわなくても再起動させることができる。
【００６８】
なお、本実施の形態では、図１に示すように、記憶部２８は、携帯電話状態管理部６に含まれる構成になっていたが、記憶部２８が携帯電話状態管理部６の外部に別個に設けられて、携帯電話状態管理部６に回路接続されるようになっていてもよい。
【００６９】
また、本実施の形態では、無線通信部２２に対応する復帰値は設定しなかったが、このような復帰値（図２中、符号ｂ）を設定してもよい。このような場合には、例えばブラウザにより表示部８にＷｅｂページのような電子文書を表示する動作が、電池２１の電源量が停止値ａを下回ったことにより停止したようなときでも、充電等により電源量が復帰値ｂを上回ったときに自動的に起動させて、閲覧していた電子文書を再表示させることができるようになる。
【００７０】
また、本実施の形態では、無線通信部２２に対応する停止値ａを設定していたが、設定しないようになっていてもよい。このような場合には、電池２１の電源量（電気量）が尽きるまで無線通信部２２を使用することができる。
【００７１】
また、本実施の形態では、携帯電話機２が備える機能の中で無線通信機能が最も重要な機能であるものとして、無線通信部２２に対応する停止値ａが、無線通信部２２以外の他の処理機能部に対応する停止値ｃ，ｅよりも低い値になっていたが、無線通信部２２以外の他の処理機能部のいずれかが最も重要な機能であるものとして、その処理機能部に対応する停止値が最も低い値になっていてもよい。
【００７２】
また、本実施の形態では、図４に示すフローチャートのステップＳ２０１において、電池２１に対して充電を行なっているときに、電源量が、処理機能部の復帰値のいずれかを上回ったかどうかを判断するようになっていたが、このステップＳ２０１の判断対象となった復帰値に対応する処理機能部以外の他の処理機能部が動作している場合もある。
【００７３】
このため、２つ以上の処理機能部が動作しているときに、電源量が、この動作中の処理機能部のそれぞれに対応付けられた停止値のいずれかを下回ったことにより、図３のフローチャートに基づいて、この停止値に対応する処理機能部が停止したような場合には、この後に充電等が行なわれる際に、図４のステップＳ２０１の判断の処理動作に代えて、電源量が、停止した処理機能部に対応付けられた復帰値と動作中の処理機能部に対応付けられる停止値とを合わせた値を上回ったかどうかを判断するようになっていてもよい。
【００７４】
また、本実施の形態において携帯電話機２は、無線通信機能、音楽再生機能、及び撮影機能を備えていることにより、無線通信部２２、音楽再生機能部２４、及び撮影機能部２６を処理機能部として有するようになっていたが、例えばゲーム機能等のような他の機能を備えて、このような他の機能に対応するような処理機能部を有するようになっていてもよい。このような場合には、ゲーム機能等のような他の機能に対応する処理機能部についても、その停止値及び復帰値が設定されるようにすることができる。
【００７５】
すなわち、処理機能部としては、制御部（携帯電話状態管理部６）によって、それぞれ、起動／停止を制御できる処理ブロックであって、電子デバイスそのものであってもよいし（ＲＦ回路などの通信デバイスやカメラデバイスなど）、これらを制御する処理部（無線処理部１０、カメラ動作処理部１８など）だけでなく、ソフトウェアであっても、ゲーム機のように、ソフトウェアのブロック単位であってもよい。
【００７６】
また、本実施の形態では、携帯電話機２に対して本発明を適用した場合について説明したが、携帯電話機２以外の、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）や、ポータブルゲーム機、ポータブルナビゲーション装置のような、容量に限りのある電源を搭載する他の携帯端末装置についても本発明を適用することができることはいうまでもない。
【図面の簡単な説明】
【００７７】
【図１】本発明の一実施の形態に係る携帯電話機２の回路構成を示すブロック図である。
【図２】図１に示す電池２１の残量に対応する電源量、並びに処理機能部（無線通信部２２、音楽再生機能部２４及び撮影機能部２６）のそれぞれに対応する停止値及び復帰値を示す概念図である。
【図３】本発明の一実施の形態における携帯電話状態管理部６の動作手順を示すフローチャートであって、処理機能部（無線通信部２２、音楽再生機能部２４及び撮影機能部２６）のいずれかを使用しているときに、電源量が、その停止値のいずれかにまで減ったときの動作手順を示すものである。
【図４】本発明の一実施の形態における携帯電話状態管理部６の動作手順を示すフローチャートであって、処理機能部（無線通信部２２、音楽再生機能部２４及び撮影機能部２６）の停止後に、電池２１の充電又は交換を行なったときの動作手順を示すものである。
【図５】本発明の一実施の形態における携帯電話状態管理部６の動作手順を示すフローチャートであって、音楽再生機能部２４及び撮影機能部２６を同時に使用しているときに、電源量が、その撮影機能部２６に対応する停止値ｅのいずれかにまで減ったときの動作手順を示すものである。
【図６】本発明の一実施の形態における携帯電話状態管理部６の動作手順を示すフローチャートであって、音楽再生機能部２４の動作中に、撮影機能部２６を起動させる操作が行なわれたときの動作手順を示すものである。
【符号の説明】
【００７８】
２  携帯電話機
４  電源量検出部
６  携帯電話状態管理部
７  キー操作部
８  表示部
１０  無線処理部
１２  通信デバイス
１４  音声データ処理部
１６  オーディオデバイス
１８  カメラ動作処理部
２０  カメラデバイス
２２  無線通信部
２４  音楽再生機能部
２６  撮影機能部
２８  記憶部
３０  スピーカー
３２  マイクロホン
３４  イヤホンジャック
【図１】
2006203475.tif 000003
【図２】
2006203475.tif 000004
【図３】
2006203475.tif 000005
【図４】
2006203475.tif 000006
【図５】
2006203475.tif 000007
【図６】
2006203475.tif 000008